(57)【要約】【課題】読み込んだ画像のうち所望の画像について簡単にユーザが確認することのできる画像読取装置を提供する。【解決手段】この画像読取装置は、原稿の画像を読み取る手段と、目次又は索引を含む原稿に対する画像上で、目次の見出し又は索引の項目に相当する領域の選択を受け付けるための選択受付データを作成する手段と、見出し又は項目が指す原稿の画像をその見出し又は項目に対する選択受付データに関連付ける手段と、領域の選択を受け付けた場合に、選択受付データに関連付けられた原稿の画像を表示する手段とを備える。目次の見出しや索引の項目をボタン化して表示することで、ユーザは、見出しや項目の記述を参照しながら、所望の画像を簡単に指定することができる。【選択図】図１
2008245034.tif 000002
【特許請求の範囲】
【請求項１】
原稿の画像を読み取る手段と、
目次又は索引を含む原稿に対する画像上で、目次の見出し又は索引の項目に相当する領域の選択を受け付けるための選択受付データを作成する手段と、
見出し又は項目が指す原稿の画像をその見出し又は項目に対する選択受付データに関連付ける関連付け手段と、
前記領域の選択を受け付けた場合に、前記選択受付データに関連付けられた原稿の画像を表示する手段と
を備える画像読取装置。
【請求項２】
目次又は索引を含む原稿に対する画像から、目次の見出し又は索引の項目に含まれるページ番号を取得する手段をさらに備え、
前記関連付け手段が、取得したページ番号に基づいて、その原稿の画像をその見出し又は項目に対する選択受付データに関連付ける請求項１記載の画像読取装置。
【発明の詳細な説明】
【技術分野】
【０００１】
本発明は、原稿の画像を読み取るスキャナやファクシミリ、デジタル複写機、デジタル複合機などの画像読取装置に関するものである。
【背景技術】
【０００２】
画像読取装置において、読み込んだ画像をパネル上に縮小またはプレビュー表示するものがある（例えば特許文献１参照）。ユーザは、読み込んだ画像の位置や方向、傾き、変倍率、濃度が適正か、読み込んだ画像に抜けや重複がないかなどをその縮小表示で確認することができる。
【特許文献１】特開２００４−７７６１６号公報
【発明の開示】
【発明が解決しようとする課題】
【０００３】
原稿のページ数が多くなると、表示領域のサイズに限りがあるため、読み込んだ画像の全てについてまとめて縮小表示することが困難になる。一部の画像について縮小表示がされている状態で、ユーザが、残りの画像を確認しようとすると、表示を切り替える必要が生じる。このため、確認の際の操作が煩雑になる可能性がある。また一度に表示し得る縮小画像の数を増やすため、縮小率を大きくすると、読み込んだ画像の特徴が失われたり視認し難くなったりする。
【０００４】
したがって、読み込んだ画像のうち所望の画像について簡単にユーザが確認することのできる画像読取装置が望まれている。
【課題を解決するための手段】
【０００５】
本発明の提供する画像読取装置は、原稿の画像を読み取る手段と、目次又は索引を含む原稿に対する画像上で、目次の見出し又は索引の項目に相当する領域の選択を受け付けるための選択受付データを作成する手段と、見出し又は項目が指す原稿の画像をその見出し又は項目に対する選択受付データに関連付ける手段と、領域の選択を受け付けた場合に、選択受付データに関連付けられた原稿の画像を表示する手段とを備える。
【発明の効果】
【０００６】
以上の構成を採用することにより、目次の見出しや索引の項目を参照しながら、その見出しや項目が指す原稿をユーザが簡単に指定し、その画像を表示することができる。このため、読み込んだ画像のうち所望の画像について簡単にユーザが確認することが可能となる。
【発明を実施するための最良の形態】
【０００７】
以下、添付図面を参照して本発明の実施の形態について説明する。この実施の形態において、本発明は、原稿の画像を読み取るスキャナ機能のほか、プリンタ機能やファクシミリ機能など複数の機能を有するデジタル複合機として具体化している。このデジタル複合機は、目次を含む原稿の読み取り画像から、目次の各見出しに相当する見出し領域を抽出し、ソフトウェア上で各見出しをボタン化する。ユーザは、そのボタンを操作することで、見出しが指す内容を含む原稿の画像を操作パネル上に表示することができる。
【０００８】
図１は本実施の形態における複合機の全体構成の一例を示す図である。複合機１０１は、画像読取部１０２及び画像形成部１０３を備えており、画像読取部１０２の上側には、原稿送り装置１０４が開閉可能に取り付けられている。ユーザは、画像読取部１０２の筐体上面に配置されたコンタクトガラスのような原稿台１０５か、原稿送り装置１０４に原稿を載置する。
【０００９】
画像読取部１０２は、原稿の画像を読み取りその画像のデジタルデータを生成する。画像読取部１０２は、原稿台１０５の下方にラインイメージセンサ１０６および走査光学系１０７を有している。走査光学系１０７は、原稿からの反射光像をラインイメージセンサ１０６に導く。走査光学系１０７は、ラインイメージセンサ１０６と平行な主走査方向に沿って配置された線状の光源１０８、およびミラー１０９乃至１１１を有している。光源１０８は原稿を照明し、ミラー１０９乃至１１１は原稿からの反射光をラインイメージセンサ１０７の受光面に導く。光源１０８およびミラー１０９乃至１１１は副走査方向に往復動可能である。光源１０８およびミラー１０９乃至１１１が副走査方向に移動することによって、原稿台１０５に載置された原稿の２次元画像をラインイメージセンサ１０６で読み取ることができる。イメージセンサ１０６は、受光面に入射した光像から原稿の画像データを生成する。
【００１０】
画像読取部１０２は、原稿送り装置１０４に載置された原稿の画像を読み取ることもできる。原稿送り装置１０４には、原稿トレイ１１２、搬送路１１３および排紙トレイ１１４が備えられている。原稿送り装置１０４は、原稿トレイ１１２にセットされた原稿を１枚ずつ搬送路１１３へ送り出す。その搬送路１１３上には画像読取位置１１５がある。原稿送り装置１０４にセットされた原稿の画像を読み取る場合、画像読取部１０２は、光源１０８およびミラー１０９乃至１１１の副走査方向の位置を画像読取位置１１５に合わせて一時的に固定する。搬送路１１３上の原稿が画像読取位置１１５を通過するとき、光源１０８で原稿を照明し、原稿の画像を読み取る。画像読取位置１１５を通過した原稿は、排紙トレイ１１４に排出される。
【００１１】
画像形成部１０３は、画像読取部１０２で得た画像データや、ネットワークを通じて他の機器から受信した画像データを用紙に印刷する。画像形成部１０３には、感光体ドラム１１６が設けられている。この感光体ドラム１１６は、一定速度で矢印１１７の方向に回転する。感光体ドラム１１６の周囲には、回転方向の上流側から順に、帯電器１１８、露光器１１９、現像器１２０、転写器１２１などが配置されている。帯電器１１８は、感光体ドラム１１６表面を一様に帯電させる。露光器１１９は、一様に帯電した感光体ドラム１１６の表面に、画像データに応じて光を照射し、感光体ドラム１１６上に静電潜像を形成する。現像器１２０は、その静電潜像にトナーを付着させ、感光体ドラム１１６上にトナー像を形成する。転写器１２１は、感光体ドラム１１６上のトナー像を用紙に転写する。感光体ドラム１１６が回転することによりこれらのプロセスが一連で行われる。
【００１２】
画像形成部１０３は、給紙カセット１２２乃至１２４から、感光体ドラム１１５と転写器１２１との間の転写部に用紙を給送する。給紙カセット１２２乃至１２４からの用紙は、搬送ローラ１２６によりレジストローラ１２７へ搬送される。レジストローラ１２７は、原稿の読取と同期して転写部に用紙を送り込む。転写部でトナー像を転写した用紙は、定着器１３０に搬送される。定着器１３０は、定着ローラ１３１および加熱ローラ１３２を有しており、熱と押圧力によってトナー像を用紙に定着する。画像形成部１０３は、定着器１３０を通過した用紙を排紙トレイ１３３へ排紙する。
【００１３】
図２は複合機の情報処理回路の一例を示す図である。情報処理回路２００は、ユーザの指示にしたがって、画像読取部１０２により得られた画像データを処理する。情報処理回路２００は、ＣＰＵ２０１およびバス２０２を備えている。このバス２０２には、ＲＯＭ２０３やＲＡＭ２０４が接続されている。ＲＯＭ２０３には、処理プログラムのコードや設定データなどが格納されている。ＣＰＵ２０１は、ＲＯＭ２０３から読み出した処理プログラムの指令にしたがって、バス２０２に接続された各種のデバイスに対して入出力を行い、本発明の画像読取装置としてこの複合機を機能させる。ＲＡＭ２０４は、ＣＰＵ２０１の作業領域として用いられる。
【００１４】
バス２０２には、インターフェイス回路２０５乃至２０７を介して、ＨＤＤ２０８や操作パネル回路２０９、画像読取部１０２も接続されている。ＨＤＤ２０８は、画像読取部１０２により得られた画像データや、他の機器からネットワークを通じて受信した画像データを蓄積するのに用いられる。
【００１５】
操作パネル回路２０９は、ユーザが複合機に指示や設定を与えたり、複合機の状態や設定を確認したりするための回路である。操作パネル回路２０９は、操作キー２１０、ディスプレイ２１１、タッチパネル２１２を含む。操作キー２１０は、スタートキーやテンキーを含むハードウェアキーである。ユーザは、操作キー２１０を用いて、複写や印刷の開始を複合機に指示したり、枚数を指定したりする。ディスプレイ２１１およびタッチパネル２１２は、操作パネル上でタッチパネル付きディスプレイを構成する。ディスプレイ２１０は、ＣＰＵ２０１の制御信号にしたがって各種の操作・設定画面を表示する。タッチパネル２１２は、ユーザからの指示を受け付け、その指示信号をＣＰＵ２０１に供給する。ユーザは、タッチパネル２１２を操作してディスプレイ２１１に、画像読取部１０２により読み取られた画像データや、ＨＤＤ２０８に蓄積された画像データをプレビュー表示またはサムネイル表示することができる。
【００１６】
図３は画像データをプレビュー表示する画面の一例を説明する図である。図３Ａは画像データに対応する原稿群の一例を示し、図３Ｂはそれら原稿のプレビュー表示の一例を示し、図３Ｃは目次の見出しに対応する画像を表示するためのボタンの例を示す。図３Ａの例において、原稿群は、目次を含む１枚の目次原稿３０１や、その目次の各見出しが指す内容を有する複数枚の本文原稿３０２を含んでいる。目次原稿３０１は、例えば複数の見出し３０３を有し、見出し３０３はページ番号３０４を含む。本文原稿３０２は、各見出し３０３の内容を表す原稿を一枚又は複数枚有する。ユーザは、これらの原稿群の画像を読み取ってから、操作パネルのディスプレイ上に、プレビュー表示することができる。
【００１７】
図３Ｂの例において、ディプレイ上の画面３０５は、プレビュー画像表示領域３０６に複数の原稿のプレビュー画像３０７を表示する。情報処理回路のＣＰＵは、表示領域３０６のサイズや表示設定枚数に従った倍率で、画像読取部により得られた画像データを縮小してプレビュー画像３０７を生成する。プレビュー画像３０７のデータは、もとの画像データとは別個にＨＤＤに蓄積しておいてもよいし、その都度生成するようにしてもよい。
【００１８】
画面３０５は、表示領域３０６のほか、タッチパネルで操作可能なキー３０８および３０９を有する。「次ページ」キー３０８および「前ページ」キー３０９は、表示領域３０６の表示設定枚数を原稿の枚数が上回っている場合に、現在表現されているプレビュー画像３０７の前後の画像を表示するためのソフトウェア上のキーである。この例では、設定枚数が６枚であり、原稿の総枚数が上回っている。このため、全ての原稿それぞれに対するプレビュー画像３０７を表示領域３０６で確認しようとすると、この状態ではキー３０８または３０９を用いる必要がある。ただし、一枚目の原稿に対するプレビュー画像３０７が、表示領域３０６の先頭位置（図面上で最も左側の位置）に表示されている状態では、キー３０９を用いる必要はない。原稿の総枚数が設定枚数以下の場合や前後の原稿がない場合、ＣＰＵは、キー３０８または３０９の属性データを加工してグレイアウトさせ、ユーザが操作できないようにする。
【００１９】
画面３０５は、「目次ボタン化」キー３１０およびプリセット枚数表示部３１１をさらに有する。「目次ボタン化」キー３１０は、プレビュー画像３０７において目次の各見出しをボタン化する指示をユーザが複合機に与えるためのものである。ユーザがこのキー３１０を操作すると、ＣＰＵは、目次原稿の各見出しに相当する見出し領域上に、「見出し」ボタン３１２を表示する。例えばプレビュー画像３０７の見出し領域上に、見出しボタン３１２の画像を重ね合わせて表示する。見出しボタン３１２のいずれかをユーザが操作すると、ＣＰＵは、タッチパネルによりその選択を受け付ける。ＣＰＵは、選択された見出しの内容を表す本文原稿のプレビュー画像３０７の縮小率を小さくした拡大プレビュー画像を表示領域３０６上に表示する。
【００２０】
プリセット枚数表示部３１１は、原稿を先頭から数えたとき、先頭の本文原稿が何枚目にあるかを示すプリセット枚数を表示する。操作パネルのテンキーを用いて、ユーザがプリセット枚数を指定すると、ＣＰＵは、その値をプリセット枚数表示部３１１に表示する。図３Ｂの例では、１枚の目次原稿以外の原稿が全て本文原稿であるので、プリセット枚数表示部３１１が「１枚」を表示している。このようなプリセット枚数は、目次の見出しに含まれるページ番号の値から、拡大プレビュー画像を表示する対象の原稿を特定するのに用いられる。ＣＰＵは、見出しに含まれるページ番号の値を文字認識により抽出し、抽出した値にプリセット枚数を加算する。その値は、原稿を先頭から数えたときの枚数に合致するので、それにより表示対象の原稿を特定する。
【００２１】
図４は目次の見出しボタンを用いた操作の一例を示す図である。図４Ａは目次原稿のプレビュー画像を選択した状態を示し、図４Ｂは見出しボタンを操作した状態を示し、図４Ｃは見出しボタンに対応する原稿の拡大プレビュー画像を表示した状態を示す。プレビュー画像の縮小率を小さくした拡大プレビュー画像を表示領域３０６上に表示する場合、ユーザは、図４Ａに示すように、まず目次原稿のプレビュー画像３０７を選択する。
【００２２】
ＣＰＵは、タッチパネルを用いてその選択を受け付けると、図４Ｂに示すように目次原稿の拡大プレビュー画像４０１を表示領域３０６の中央に表示する。この状態で見出しボタン３１２を操作することにより、ユーザは、目次の見出しのいずれかを選択することができる。ＣＰＵは、タッチパネルによりその選択を受け付けると、選択された見出しボタン３１２の表示を変更し、選択を受け付けたことをユーザに通知する。この例では、「第２章」の見出しが選択されているため、見出しボタン３１２の色が変更されている。ＣＰＵは、選択された見出しに含まれるページ番号およびプリセット枚数の値を読み出し、それらの値に基づいて、その見出しが指す内容を含む原稿を特定する。
【００２３】
図４Ｃに示すように、ＣＰＵは、その原稿の拡大プレビュー画像４０１を表示領域３０６の中央に表示する。この例では、「第２章」の１番目の原稿やその前後の原稿に対する拡大プレビュー画像４０１を表示している。「第２章」の見出しに含まれるページ番号は「５」であり、プリセット枚数は「１」であったので、表示領域３０６の中央には、原稿を先頭から数えたとき６枚目の原稿に対する拡大プレビュー画像４０１が表示される。これにより、全ての原稿に対するプレビュー画像を表示領域３０６に一度に表示できない場合でも、ユーザは、各見出しの記述を参考にしながら、所望の原稿の内容を簡単に確認することができる。
【００２４】
また図４Ｃの例において、ＣＰＵは、「目次へ」キー４０２を画面３０５上に設けている。このキー４０２をユーザが操作すると、ＣＰＵは、図４Ｂに示したように、目次原稿の拡大プレビュー画像４０１を表示領域３０６の中央に表示する。これにより、他の見出しについて拡大プレビュー画像４０１を簡単に表示することができる。
【００２５】
図５は原稿の読み取り画像を管理するためのデータの構造の一例を示す図である。管理データは、ＲＯＭやＨＤＤに格納され、各レコードは、ファイルＩＤやジョブＩＤ、目次フラグ、ポインタといった複数の項目のデータを有する。ファイルＩＤは、読み取り画像に固有のＩＤであり、情報処理回路のＣＰＵが画像データを識別するのに用いる。ジョブＩＤは、複合機の各ジョブに固有の符号である。この例では、ファイルＩＤ「０００１」、「０００２」、「０００３」に対して全て同じジョブＩＤが関連付けられており、各ファイルＩＤに対応する原稿の画像読み取りが一度に行われたことを示している。レコードは、原稿の画像が読み取られた順番に上から下に並んでいる。目次フラグは、そのファイルＩＤに対応する原稿が目次原稿かどうかを表すフラグである。目次原稿かどうかは、原稿の画像を読み取る際、コントロールパネルからユーザが指定することができる。また目次の見出しをボタン化する際に、目次原稿をユーザが指定するようにしてもよい。ポインタは、読み取り画像のデータの格納場所に対するものである。ＣＰＵは、このポインタを用いて、ＨＤＤのような格納場所から画像データを読み出す。このほか、管理データのレコードは、ファイルの名称や作成日時といった項目のデータを含めるようにしてもよい。
【００２６】
図６は見出しボタンによる選択を受け付けるための選択受付データの構造の一例を示す図である。ＣＰＵは、見出しボタンのデータである選択受付データを用いて、目次を含む原稿の画像上で、目次の見出しに相当する見出し領域の選択を受け付ける。選択受付データはＲＯＭやＨＤＤに格納され、各レコードは、見出しＩＤやファイルＩＤ、見出しボタン位置、見出しボタンサイズ、ポインタ、ページ番号といった項目のデータを有する。見出しＩＤは、目次原稿に含まれる見出しに固有に与えられ、情報処理回路のＣＰＵが目次の各見出しを識別するのに用いる。ファイルＩＤは、各見出しを含む原稿を特定するのに用いられる。この例では、見出しＩＤ「Ｉ０００１」、「Ｉ０００２」、「Ｉ０００３」のいずれについても同じファイルＩＤが関連付けられており、各見出しＩＤに対応する見出しが同じ原稿に含まれることを示している。見出しボタン位置は、原稿の読み取り画像の基準位置に対する見出しボタンの基準位置の座標を表す。この座標の値は、読み取り画像のサイズに対する相対量で表すのが好ましい。見出しボタンサイズは、見出し領域のサイズに応じて定められる。このサイズも、読み取り画像のサイズに対する相対量で表すのが好ましい。ポインタは、見出しボタンの画像データの格納場所を指す。ＣＰＵは、このポインタを用いて、ＨＤＤのような格納場所から見出しボタンの画像データを読み出す。ＣＰＵは、見出しボタン位置およびサイズにしたがって、見出しボタンの画像データを原稿の画像データに重ね合わせることにより、見出し領域に見出しボタンを表示する。ページ番号は、各見出しから抽出されたものである。この例では、見出しＩＤ「Ｉ０００１」が、図３Ａにおける第１章の見出しであり、そのページ番号は「１」になっている。見出しＩＤ「Ｉ０００２」、「Ｉ０００３」は、それぞれ第２章、第３章の見出しであり、そのページ番号は「５」、「１０」になっている。
【００２７】
図７は目次の見出しをボタン化する際の手順の一例を示すフローチャートである。情報処理回路のＣＰＵは、処理プログラムの指令にしたがって、バスに接続された各種のデバイスに対し入出力を行うことにより、これらの手順を実行する。まずＣＰＵは、タッチパネルにより目次の見出しをボタン化する指示を受け付ける（手順７０１）。その後、ＣＰＵは、管理データの目次フラグを参照して、目次原稿の画像データに対するファイルＩＤやポインタを取得し、その画像データを読み出す（手順７０２）。ＣＰＵは、読み出した画像データから文字領域を抽出し、各領域中に含まれる文字を認識する（手順７０３）。ＣＰＵは、文字認識により得た文字列を一定の表現パターンと比較するなどして、見出しの文字やページ番号を取得する（手順７０４）。続いてＣＰＵは、その見出しに対する選択受付データを作成し書き込む（手順７０５）。例えばＣＰＵは、取得した見出しの文字に対応する画像領域の位置やサイズを求める。ＣＰＵは、求めた画像領域の位置やサイズに従って見出しボタンの位置やサイズを決定するとともに、取得したページ番号の文字を数値化する。それらにより得た値を選択受付データとして書き込む。ＣＰＵは、手順７０４および７０５を全ての領域について繰り返し（手順７０６）、また手順７０２乃至７０５を全ての目次原稿について繰り返す（手順７０７）。そしてＣＰＵは、見出しが指す内容を含む原稿の画像をその見出しに対する選択受付データに関連付けるためのリンクデータをＲＯＭやＨＤＤに書き込む（手順７０８）。リンクデータは、例えばプリセット枚数の値である。プリセット枚数の値にページ番号の値を加算した値を用いることにより、ＣＰＵは、図５の管理データにおいて、見出しの内容を表す原稿に対応するレコードを特定することができる。例えばプリセット枚数が１枚であり、ページ番号の値が１であれば、上から２つ目のレコードが該当レコードとなる。図４の例のようにページ番号の値が５であれば、管理データにおいては、上から６つ目のレコードが該当レコードとなる。
【００２８】
見出しボタンが操作された場合、ＣＰＵは、その見出しＩＤに関連付けられたページ番号の値に基づいて、原稿の画像データに対するポインタを管理データから取得する。ＣＰＵは、そのポインタにより画像データを取得して拡大プレビュー画像を生成する。ＣＰＵは、その拡大プレビュー画像を上述のように表示領域に表示する。
【００２９】
このように本実施の形態における複合機では、目次原稿の見出しをボタン化するため、一度に全ての原稿についてプレビュー表示をすることができない場合でも、見出しの記述を参照しながら、所望の原稿の画像をユーザが容易に選択することが可能となる。このため、ユーザは、原稿の読み取り画像を簡単に把握することができる。
【００３０】
その確認の結果、読み取られた画像が適当なものであれば、ユーザは、プレビュー画像や拡大プレビュー画像を選択することにより、その選択した画像を画像形成部により印刷したり、ファクシミリ送信したり、ネットワークを通じて転送したりすることができる。また読み取られた画像が不適当なものであれば、その原稿の読み取りを画像読取部によりし直すことができる。プレビュー画像や拡大プレビュー画像を選択することで、ユーザが対象画像を指定していれば、複合機は、新たに読み取った画像で不適当な画像を差し替えることができる。
【００３１】
上述の実施の形態で利用した処理プログラムは、コンピュータ読み取り可能な媒体に保持することで関係者や第三者に提供することができる。例えばプログラムの指令を電気信号や光信号、磁気信号などで表現し、その信号を搬送波に載せて送信することで、同軸ケーブルや銅線、光ファイバのような伝送媒体でそのプログラムを提供することができる。また、そのプログラムを格納するコンピュータ読み取り可能な記録媒体としては、ＣＤ−ＲＯＭやＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷなどの光学メディアや、フレキシブルディスクのような磁気メディア、フラッシュメモリやＲＡＭのような半導体メモリを利用することができる。
【００３２】
上述した実施の形態は本発明の技術的範囲を制限するものではなく、本発明の範囲内で種々の変形や応用が可能である。上述の実施の形態では、目次原稿の見出しをボタン化したが、これに限られるものではない。これに代えて、又はそれとともに、索引の項目をボタン化するようにしてもよい。用語や事項の索引についても各項目に含まれるページ番号を用いて、上述の実施の形態と同様にボタン化し、その用語や事項を含む原稿の画像を表示することが可能である。
【００３３】
また上述の実施の形態では、プリセット枚数を原稿の枚数として表していた。もっとも、読み取り対象の原稿が両面原稿の場合、原稿のおもて面および裏面の両方に目次や索引が配置されることで、原稿の枚数と画像の数が一致しなくなることがある。このため、プリセット枚数の代わりに、原稿の先頭ページから数えたときの本文原稿の先頭ページを表すプリセット数を用いて、選択受付データに原稿の画像を関連付けるようにしてもよい。さらに、読み取り対象の原稿が両面原稿である指示をユーザから受けた場合だけでなく、対象原稿が片面原稿である場合にも、複合機は、プリセット数を用いて、選択受付データに原稿の画像を関連付けることができる。
【００３４】
また読み取り対象の原稿が見開き原稿の場合、そのまま読み取ると、一つの画像に２ページが含まれることになる。この場合、プリセット枚数は０．５枚単位で指定するようにしてもよい。例えば左右見開き原稿の２枚目の右側に本文原稿の先頭ページがある場合、プリセット枚数の値は「１．５」と指定することができる。見開き原稿の読み取りの指示をユーザから受けると、複合機は、そのプリセット枚数を、目次の見出しや索引の項目に含まれるページ番号を半分にした値に加算する。これによって、選択受付データに原稿の画像を関連付ける。選択受付データのページ番号が「４」または「５」である場合、その半分の値「２．０」または「２．５」をプリセット枚数「１．５」に加算して、「３．５」または「４．０」という値が求まる。いずれの加算値も「３」より大きく「４」以下であるため、複合機は、４枚目の原稿の画像を選択受付データに関連付けることになる。
【００３５】
またプリセット枚数を用いずに、目次の見出しや索引の項目が指す原稿の画像を選択受付データに関連付けるようにしてもよい。例えば、目次のボタン化を行ってから、本文原稿の画像を読み取ることにより、その原稿の画像を選択受付データに関連付けるようにしてもよい。具体的には、原稿の画像を読み取る際、まず目次の見出しボタンを作成する指示をユーザがコントロールパネルから入力する。その指示を受けると、複合機が、目次原稿のみの画像読み取りをユーザに促す。複合機は、目次原稿の画像を読み取ると、目次の各見出しに対して選択受付データを作成して目次原稿のプレビュー画像上に見出しボタンを表示する。ユーザは、いずれかの見出しボタンを押下してから、その見出しが指す内容を含む本文原稿の画像の読み取りを複合機に行わせる。例えば「第２章」の見出しボタンを押下したとき、ユーザは、「第２章」の見出しが指す本文原稿を複合機に読み取らせる。その際、複合機は、押下された見出しボタンの選択受付データに、読み込んだ原稿の画像を関連付ける。この場合、選択受付データに原稿の画像を関連付けるため、例えば選択受付データのレコードの項目として、本文原稿の画像に対するファイルＩＤをさらに設けることができる。複合機は、読み込んだ原稿の画像に対するファイルＩＤを生成すると、対応する選択受付データの当該項目に、生成した値を書き込む。このようにしても、目次の見出しや索引の項目が指す原稿の画像をその見出しや項目に対する選択受付データに関連付けることが可能である。
【００３６】
また上述の実施の形態では、本発明をデジタル複合機について適用したが、これに限られるものではない。スキャナやファクシミリ、デジタル複写機などその他の画像読取装置に本発明を適用することも可能である。
【産業上の利用可能性】
【００３７】
本発明に係る画像読取装置は、目次の見出しや索引の項目を参照しながら、読み込んだ画像のうち所望の画像について簡単にユーザが確認することができ、スキャナやファクシミリ、デジタル複写機、デジタル複合機などの様々な機器に有用である。
【図面の簡単な説明】
【００３８】
【図１】本実施の形態における複合機の全体構成の一例を示す図である。
【図２】複合機の情報処理回路の一例を示す図である。
【図３】画像データをプレビュー表示する画面の一例を説明する図である。
【図４】目次の見出しボタンを用いた操作の一例を示す図である。
【図５】原稿の読み取り画像を管理するためのデータの構造の一例を示す図である。
【図６】見出しボタンによる選択を受け付けるための選択受付データの構造の一例を示す図である。
【図７】目次の見出しをボタン化する際の手順の一例を示すフローチャートである。
【符号の説明】
【００３９】
１０１    デジタル複合機
１０２    画像読取部
１０３    画像形成部
３０６    プレビュー画像の表示領域
３０７    プレビュー画像
３１０    目次ボタン化キー
３１１    プリセット枚数表示部
３１２    見出しボタン
４０１    拡大プレビュー画像
【図１】
2008245034.tif 000003
【図２】
2008245034.tif 000004
【図３】
2008245034.tif 000005
【図４】
2008245034.tif 000006
【図５】
2008245034.tif 000007
【図６】
2008245034.tif 000008
【図７】
2008245034.tif 000009